(57)【要約】      （修正有）【課題】保守点検や整備等を行なう際、または、故障が生じた際等における点検や診断等に係る作業を容易化して、作業員にとっての取り扱いを便利にすることができ、実用に好適するカメラの状態表示装置を提供する。【解決手段】カメラヘッドを、撮像レンズ１５を含む部分を露出させた状態で、その撮像方向を調整可能に支持する筐体と、筐体内に設置され、カメラヘッドから得られる信号の処理部が構成された回路基板と、筐体に着脱自在に設けられ、着状態で筐体から露出された部分のカメラヘッドを覆うドーム形のカバーと、回路基板に設置され点灯状態と消灯状態とに選択的に制御可能な表示器２０〜２２により、状態表示を要求する操作に応じて状態表示を行なう状態表示手段３１〜３４とを備える。【選択図】    図３
2008278253.tif 000002
【特許請求の範囲】
【請求項１】
撮像レンズを有するカメラヘッドと、
前記カメラヘッドを、前記撮像レンズを含む部分を露出させた状態で、その撮像方向を調整可能に支持する筐体と、
前記筐体内に設置され、前記カメラヘッドから得られる信号の処理部が構成された回路基板と、
前記筐体に着脱自在に設けられ、着状態で前記筐体から露出された部分のカメラヘッドを覆うドーム形のカバーと、
前記回路基板に設置され点灯状態と消灯状態とに選択的に制御可能な表示器により、状態表示を要求する操作に応じて状態表示を行なう状態表示手段とを具備することを特徴とするカメラの状態表示装置。
【請求項２】
前記状態表示手段は、状態表示を要求する操作として、前記回路基板に設置されたスイッチが操作されたこと、リモートコントローラが操作されたこと、前記カバーが前記筐体から外されたことのいずれかを含むことを特徴とする請求項１記載のカメラの状態表示装置。
【請求項３】
前記状態表示手段は、表示する状態として、電源の供給状態、ネットワークへの接続状態、前記撮像レンズのフォーカスずれ量のいずれかを含むことを特徴とする請求項１記載のカメラの状態表示装置。
【請求項４】
前記状態表示手段は、表示させるべき状態を切り替えられるようにしておき、切り替えられた各状態においてそれぞれ複数の前記表示器を使用して状態表示を行なうことを特徴とする請求項１記載のカメラの状態表示装置。
【請求項５】
前記状態表示手段は、前記表示器を複数個有する場合、各表示器の発光色を異ならせることを特徴とする請求項１記載のカメラの状態表示装置。
【請求項６】
前記状態表示手段は、前記表示器としてＬＥＤ及びＬＣＤのいずれかを含むことを特徴とする請求項１記載のカメラの状態表示装置。
【請求項７】
撮像レンズに対するフォーカス調整を行なうための操作子が設置されたカメラと、
前記カメラに設置され点灯状態と消灯状態とに選択的に制御可能な表示器により、状態表示を要求する操作に応じて前記撮像レンズのフォーカスずれに対応した状態表示を行なう状態表示手段とを具備することを特徴とするカメラの状態表示装置。
【請求項８】
前記状態表示手段は、前記撮像レンズのフォーカスずれ量に応じて、前記表示器の表示形態を変化させることを特徴とする請求項７記載のカメラの状態表示装置。
【発明の詳細な説明】
【技術分野】
【０００１】
この発明は、例えば監視用ドームカメラ等に使用して好適するカメラの状態表示装置に関する。
【背景技術】
【０００２】
周知のように、現在の監視用ドームカメラでは、例えば、定期的な保守点検や整備を行なう際、または、カメラからの映像がモニタ画面に表示されなくなるような故障が生じた際等に、その都度、作業員が設置場所から取り外して点検や診断等の作業を行なっているため、作業が煩雑になるという問題を有している。
【０００３】
特許文献１には、撮像部にその視野方向に発光する発光素子を設置し、撮像方向を示すように発光させて犯罪防止効果を高めるとともに、発光素子の点灯及び消灯を設定する機能により、撮像部の動作を認識することができるようにしたドーム形監視カメラ装置の構成が開示されている。
【特許文献１】特開２００５−３１１８２６号公報
【発明の開示】
【発明が解決しようとする課題】
【０００４】
そこで、この発明は上記事情を考慮してなされたもので、例えば、保守点検や整備等を行なう際、または、故障が生じた際等における点検や診断等に係る作業を容易化して、作業員にとっての取り扱いを便利にすることができ、実用に好適するカメラの状態表示装置を提供することを目的とする。
【課題を解決するための手段】
【０００５】
この発明に係るカメラの状態表示装置は、撮像レンズを有するカメラヘッドと、カメラヘッドを、撮像レンズを含む部分を露出させた状態で、その撮像方向を調整可能に支持する筐体と、筐体内に設置され、カメラヘッドから得られる信号の処理部が構成された回路基板と、筐体に着脱自在に設けられ、着状態で筐体から露出された部分のカメラヘッドを覆うドーム形のカバーと、回路基板に設置され点灯状態と消灯状態とに選択的に制御可能な表示器により、状態表示を要求する操作に応じて状態表示を行なう状態表示手段とを備えるようにしたものである。
【発明の効果】
【０００６】
上記した発明によれば、点灯状態と消灯状態とに選択的に制御可能な表示器により、状態表示を要求する操作に応じて状態表示を行なわせるようにしたので、例えば、保守点検や整備等を行なう際、または、故障が生じた際等における点検や診断等に係る作業を容易化することができ、作業員にとっての取り扱いを便利にし、実用に適するものとすることができる。
【発明を実施するための最良の形態】
【０００７】
以下、この発明の実施の形態について図面を参照して詳細に説明する。図１は、この実施の形態で説明する監視用ドームカメラ１１の概略を示している。この監視用ドームカメラ１１は、ほぼ有底円筒形状に形成された筐体１２を有し、この筐体１２の底部１２ａを例えば建物の天井１３に接触させるようにして取り付けられている。
【０００８】
この筐体１２は、その内部に、カメラヘッド１４を支持している。この場合、カメラヘッド１４は、その撮像方向が所定の向きに調整可能となるように、筐体１２内に支持されている。また、このカメラヘッド１４には、その撮像レンズ１５に対するフォーカス調整を行なうためのフォーカスレバー１６が設置されている。
【０００９】
そして、このカメラヘッド１４は、図中点線で示すように、ドーム型のカバー１７によって覆われている。このカバー１７は、光透過性を有する材料で、ほぼ半球形状に形成されており、その開口端部を上記筐体１２の周縁部に取着させることにより、カメラヘッド１４を覆っている。
【００１０】
さらに、この監視用ドームカメラ１１は、その筐体１２の底部からＬＡＮ（local area network）ケーブル１８や図示しない電源ケーブル等が延出されている。このＬＡＮケーブル１８を含む各種のケーブル類は、天井１３に形成された透孔１３ａを挿通して、ネットワークや電源等にそれぞれ接続されるようになっている。
【００１１】
図２は、上記筐体１２の内部を示している。すなわち、この筐体１２内には、その中央部に、上記カメラヘッド１４が所定方向に調整可能となるように支持されている。また、この筐体１２には、カメラヘッド１４の周囲に、後述する信号処理系の形成された回路基板１９が配置されている。
【００１２】
そして、この回路基板１９には、状態表示用の３種類のＬＥＤ（light emitting diode）２０，２１，２２が設置されている。また、この回路基板１９には、ＬＥＤ２０，２１，２２による状態表示を行なう（オン）か行なわない（オフ）かを選択するためのスイッチ２３が設置されている。
【００１３】
図３は、上記監視用ドームカメラ１１の信号処理系を示している。すなわち、上記カメラヘッド１４の撮像レンズ１５から入射された被写体の光学像は、固体撮像素子としてのＣＣＤ（charge coupled device）２４に結像されて、光学像に対応したアナログの映像信号に変換される。
【００１４】
このＣＣＤ２４から出力される映像信号は、Ｓ／Ｈ（sample／hold）部２５によりサンプリングされ、Ａ／Ｄ（analog／digital）変換部２６でデジタル化された後、映像処理部２７に供給される。この映像処理部２７は、入力されたデジタル映像信号に対して、例えば、シャープネス処理、コントラスト処理、ガンマ補正処理、ホワイトバランス処理、白傷補正処理等の各種信号処理を施している。
【００１５】
そして、映像処理部２７で所定の映像信号処理が施された映像信号は、圧縮処理部２８により例えばＪＰＥＧ（joint photographic experts group）方式で圧縮処理された後、インターフェース部２９によりネットワークに送出可能な形態に変換されて、ＬＡＮ端子３０を介して出力可能となる。
【００１６】
このＬＡＮ端子３０には、上記ＬＡＮケーブル１８が接続可能となっており、ＬＡＮ端子３０から出力された映像信号は、ＬＡＮケーブル１８を介してネットワーク上に送出され、このネットワークに接続された図示しないＰＣ（personal computer）等によって映像表示される。
【００１７】
ここで、上記した撮像動作を含むその全ての動作は、制御部３１によって統括的に制御されている。この制御部３１は、ＣＰＵ（central processing unit）３１ａを内蔵しており、例えば、上記ＰＣから送出され、ネットワーク、ＬＡＮケーブル１８、ＬＡＮ端子３０及びインターフェース部２９を介して供給される制御情報を受けて、その制御内容が反映されるように各部をそれぞれ制御している。
【００１８】
この場合、制御部３１は、メモリ部３１ｂを利用している。このメモリ部３１ｂは、主として、ＣＰＵ３１ａが実行する制御プログラムを格納したＲＯＭ（read only memory）と、ＣＰＵ３１ａに作業エリアを提供するＲＡＭ（random access memory）と、各種の設定情報及び制御情報等が格納される不揮発性メモリとを有している。
【００１９】
また、上記制御部３１には、上記した３種類のＬＥＤ２０，２１，２２にそれぞれ対応して設けられたＬＥＤドライバ３２，３３，３４が接続されている。そして、制御部３１が各ＬＥＤドライバ３２，３３，３４をそれぞれ制御することにより、各ＬＥＤ２０，２１，２２がそれぞれ駆動されるようになっている。さらに、この制御部３１には、上記スイッチ２３が接続されており、そのオン、オフが検知されるようになっている。
【００２０】
なお、上記制御部３１には、電源回路３５が接続されている。この電源回路３５は、上記電源ケーブルを介して外部から供給される電源電力を受けて、監視用ドームカメラ１１の各部に供給すべき電力を生成している。そして、電源回路３５で生成された電力は、制御部３１を介して監視用ドームカメラ１１の各部に供給される。
【００２１】
ここで、上記制御部３１には、電源回路３５からの電力供給の有無を検知する電源検出部３１ｃが設置されている。そして、制御部３１は、電源検知部３１ｃが電源回路３５からの電力供給を検知している場合、監視用ドームカメラ１１に対して電源の供給状態であると判断し、ＬＥＤドライバ３２を介してＬＥＤ２０を点灯させるように制御する。また、制御部３１は、電源検知部３１ｃが電源回路３５からの電力供給を検知していない場合、監視用ドームカメラ１１に対して電源の非供給状態であると判断し、ＬＥＤドライバ３２を介してＬＥＤ２０を消灯させるように制御する。
【００２２】
次に、上記制御部３１には、インターフェース部２９におけるネットワークとの接続状態が正常であるか否かを検知する通信状態検出部３１ｄが設置されている。そして、制御部３１は、通信状態検知部３１ｄがネットワークとの接続状態が正常であることを示している場合、ＬＥＤドライバ３３を介してＬＥＤ２１を点灯させるように制御する。また、制御部３１は、通信状態検知部３１ｄがネットワークとの接続状態が正常でないことを示している場合、ＬＥＤドライバ３３を介してＬＥＤ２１を消灯させるように制御する。
【００２３】
次に、上記制御部３１には、撮像レンズ１５のフォーカスずれを検知するフォーカス検出部３１ｅが設置されている。そして、制御部３１は、フォーカス検知部３１ｅが検知したフォーカスずれ量に対応させた形態で、ＬＥＤドライバ３４を介してＬＥＤ２２を駆動させるように制御する。
【００２４】
このため、作業員は、監視用ドームカメラ１１の設置時に、撮像レンズ１５のフォーカス調整を行なう際、目の前にあるＬＥＤ２２の駆動形態を見ながらフォーカスレバー１６を操作すればよく、作業員にとっての取り扱いを便利にすることができる。
【００２５】
この点に関し、現状では、作業員がモニタの表示画面を見ながらフォーカス調整を行なっているため、作業が煩雑になっている。
【００２６】
ただし、上記制御部３１が各ＬＥＤ２０，２１，２２を駆動させることによる状態表示は、スイッチ２３がオン状態になっているときだけ行なわれる。スイッチ２３がオフ状態になっているときには、制御部３１は、各ＬＥＤ２０，２１，２２を全て消灯させるように制御している。
【００２７】
すなわち、作業員は、カバー１７を筐体１２から外してスイッチ２３をオン状態またはオフ状態に切り替える。監視用ドームカメラ１１により監視（撮像）を行なう場合、作業員は、スイッチ２３をオフ状態に設定した後、カバー１７を筐体１２に取り付けて、通常の撮像動作を行なわせる。
【００２８】
これにより、撮像中は各ＬＥＤ２０，２１，２２が全て消灯される。このため、撮像中に、ＬＥＤ２０，２１，２２の発する光がカバー１７に反射して映像に写り込むという不都合が発生せず、実用に非常に適するものとなる。
【００２９】
一方、監視用ドームカメラ１１に対して、保守点検や整備等を行なう際、または、故障の発生により点検や診断を行なう際等には、作業員は、カバー１７を筐体１２から外してスイッチ２３をオン状態に切り替える。これにより、もし、ＬＥＤ２０が点灯すれば、電源電力が供給されている状態であると容易に判断することができる。また、ＬＥＤ２１が点灯すれば、ネットワークとの接続が正しくなされていると容易に判断することができる。
【００３０】
このため、監視用ドームカメラ１１に対して、保守点検や整備等を行なう際、または、故障の発生により点検や診断を行なう際等に、現状のように、作業員が監視用ドームカメラ１１を設置場所から取り外して点検や診断等の作業を行なう手間を省くことができ、作業員にとっての取り扱いを便利にすることができる。また、ＬＥＤ２０，２１，２２の点灯と消灯とによって状態表示を行なっているので、占有領域が少なくて済み、監視用ドームカメラ１１の小型化を損なうことも防止される。
【００３１】
次に、図４は、上記フォーカス検出部３１ｅの一例を示している。すなわち、上記映像処理部２７から出力される映像信号が、入力端子３６を介してＢＰＦ（band pass filter）３７に供給される。このＢＰＦ３７は、撮像レンズ１５が合焦点位置に近づくほど、つまり、フォーカスずれがなくなる（ピントが合う）ほど、映像信号に高い周波数成分が増加するので、その周波数成分を通過帯域とするように設定される。
【００３２】
そして、このＢＰＦ３７の出力を積分回路３８で積分することにより、図５（ａ）に示すように、ピントが合うほどレベルの高くなるフォーカス検出データが生成され、出力端子３９から取り出される。
【００３３】
このため、上記制御部３１は、フォーカス検出データのレベルに応じて、図５（ｂ）に示すように、ＬＥＤ２２の発光輝度を変えるようにＬＥＤドライバ３４を制御することによって、フォーカスずれ量に対応させた形態でＬＥＤ２２を駆動させることが可能となる。
【００３４】
すなわち、フォーカス検出データのレベルが最も高いとき、つまり、撮像レンズ１５が合焦点位置にあるときＬＥＤ２２を最も明るくなるように発光させ、フォーカス検出データのレベルが低くなるに連れて、つまり、撮像レンズ１５が合焦点位置から遠ざかるに連れて、ＬＥＤ２２を暗くなるように発光させるようにしている。
【００３５】
また、上記制御部３１は、フォーカス検出データのレベルに応じて、図５（ｃ）に示すように、ＬＥＤ２２の点灯、消灯及び点滅の組み合わせを変えるようにＬＥＤドライバ３４を制御することによって、フォーカスずれ量に対応させた形態でＬＥＤ２２を駆動させることが可能となる。
【００３６】
すなわち、フォーカス検出データのレベルが最も高いときの前後、つまり、撮像レンズ１５が合焦点位置を挟む所定の第１の範囲内にあるときＬＥＤ２２を点灯させる。また、第１の範囲よりもフォーカスのずれた第２の範囲内にあるときＬＥＤ２２を第１の周期で点滅させる。さらに、第２の範囲よりもフォーカスのずれた第３の範囲内にあるときＬＥＤ２２を第１の周期よりも長い第２の周期で点滅させる。そして、第３の範囲よりも焦点のずれた範囲ではＬＥＤ２２を消灯させるようにしている。
【００３７】
上記した実施の形態では、ＬＥＤ２０を電源供給の有無の表示に使用し、ＬＥＤ２１をネットワークとの接続が正しいか否かの表示に使用し、ＬＥＤ２２を撮像レンズ１５のフォーカスずれ量の表示に使用するというように、３つのＬＥＤ２０，２１，２２をそれぞれ異なる状態表示に割り当てるようにしている。
【００３８】
しかしながら、このような使用形態に限らず、例えば、状態切替スイッチを設けて表示させるべき状態を切り替えられるようにし、切り替えられた各状態において、それぞれ３つのＬＥＤ２０，２１，２２を使用して状態表示を行なうことも考えられる。このようにすれば、１つの状態の表示に対して、複数のＬＥＤを使用することができるので、より詳細な状態表示を行なうことが可能となる。
【００３９】
例えば、撮像レンズ１５のフォーカスずれに対応した状態表示を行なう場合、撮像レンズ１５が合焦点位置を挟む所定の第１の範囲内にあるとき中央のＬＥＤ２１を点灯させ、第１の範囲よりもフォーカスのずれた第２の範囲内にあるときＬＥＤ２０を点灯させ、第２の範囲よりもフォーカスのずれた第３の範囲内にあるときＬＥＤ２２を点灯させるようにしてもよいものである。
【００４０】
また、上記した実施の形態では、点検時に作業員がカバー１７を筐体１２から外してスイッチ２３をオン状態に切り替えるようにしたが、これに限らず、例えば、作業員がカバー１７を筐体１２から外したことに連動して、図示しないスイッチが切り替わり、自動的にＬＥＤ２０，２１，２２による状態表示が行なわれるようにすれば、より一層便利である。
【００４１】
さらに、スイッチ２３に代えて、リモートコントローラによって、監視用ドームカメラ１１から離れた位置より、ＬＥＤ２０，２１，２２による状態表示のオン、オフを切り替えられるようにすることも可能である。この場合には、カバー１７を外すことなく、カバー１７を通してＬＥＤ２０，２１，２２による状態表示を視認することになる。このようにする場合には、各ＬＥＤ２０，２１，２２の発光色を変えるようにすれば、作業員が誤まりなく状態表示を認識することができるようになる。
【００４２】
また、上記した実施の形態では、状態表示のためにＬＥＤ２０，２１，２２を使用したが、これは、例えばＬＣＤ（liquid crystal device）等を使用しても良いものである。さらに、ＬＥＤやＬＣＤの数は３個に限らず、必要に応じて適切な個数に設定し得ることは言うまでもないことである。
【００４３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４４】
【図１】この発明の実施の形態を示すもので、監視用ドームカメラの概略を説明するために示す図。
【図２】同実施の形態における監視用ドームカメラの筐体の内部を説明するために示す図。
【図３】同実施の形態における監視用ドームカメラの信号処理系を説明するために示すブロック構成図。
【図４】同実施の形態における監視用ドームカメラのフォーカス検出部の一例を説明するために示すブロック構成図。
【図５】同実施の形態における監視用ドームカメラのフォーカスずれ量に対応させたＬＥＤの駆動形態を説明するために示す図。
【符号の説明】
【００４５】
１１…監視用ドームカメラ、１２…筐体、１３…天井、１４…カメラヘッド、１５…撮像レンズ、１６…フォーカスレバー、１７…カバー、１８…ＬＡＮケーブル、１９…回路基板、２０…ＬＥＤ、２１…ＬＥＤ、２２…ＬＥＤ、２３…スイッチ、２４…ＣＣＤ、２５…Ｓ／Ｈ部、２６…Ａ／Ｄ変換部、２７…映像処理部、２８…圧縮処理部、２９…インターフェース部、３０…ＬＡＮ端子、３１…制御部、３２…ＬＥＤドライバ、３３…ＬＥＤドライバ、３４…ＬＥＤドライバ、３５…電源回路、３６…入力端子、３７…ＢＰＦ、３８…積分回路、３９…出力端子。
【図１】
2008278253.tif 000003
【図２】
2008278253.tif 000004
【図３】
2008278253.tif 000005
【図４】
2008278253.tif 000006
【図５】
2008278253.tif 000007